(57)【要約】      （修正有）【課題】小さな設置面積の墓において、納骨室の内部に雨水などの水が浸入することを適切に防止できる防水構造を備えた墓を提供する。【解決手段】墓１の外周を形成するように組み合わされる巻石１０と、巻石１０の上方を塞ぐ蓋石４０と、蓋石４０の上方に設けられる墓石２０と、墓石２０の前方に設けられる水鉢台２２と、を備え、巻石１０は、組み合わされる角部に縦方向に延びる係合段部１１を有し、巻石１０の内部に納骨室３０が形成されており、蓋石４０は、組み合わされた巻石１０の外形と同じ大きさ以上の１枚板で形成され、蓋石４０に納骨室３０に通じる納骨口４１が形成されており、納骨口４１は、水鉢台２２で上方が塞がれるように構成する。【選択図】図６
0003215973.tif 000002
【実用新案登録請求の範囲】
【請求項１】
墓の外周を形成するように組み合わされる巻石と、
前記巻石の上方を塞ぐ蓋石と、
前記蓋石の上方に設けられる墓石と、
前記墓石の前方に設けられる水鉢台と、
を備え、
前記巻石は、組み合わされる角部に縦方向に延びる係合段部を有し、該巻石の内部が納骨室に形成されており、
前記蓋石は、組み合わされた前記巻石の外形と同じ大きさ以上の１枚板で形成され、該蓋石に前記納骨室に通じる納骨口が形成されており、
前記納骨口は、前記水鉢台で上方が塞がれるように構成されている、
ことを特徴とする防水構造を備えた墓。
【請求項２】
前記蓋石は、前記納骨口の周囲に上方へ突出する凸状部を有し、
前記水鉢台は、前記納骨口と対向する面に前記凸状部と干渉しない凹状部を有している、
請求項１に記載の防水構造を備えた墓。
【請求項３】
前記巻石の内部に形成された前記納骨室は、底面が石張り部分と土部分とを有している、
請求項１又は２に記載の防水構造を備えた墓。
【考案の詳細な説明】
【技術分野】
【０００１】
本考案は、納骨室に雨水などの水が浸入することを防止する防水構造を備えた墓に関する。
【背景技術】
【０００２】
墓は、複数の石材を積み上げて形成されたものが多い。一方、近年、都会などにおける墓地は狭く、小さな面積に建立できる墓が並んで建てられている。図７は、このような従来の墓１００の一例を示している。墓１００は、外周を形成する巻石１０１で設置部分が形成されており、その上部に墓石１０２が設けられている。墓石１０２の前方には、水鉢１０３と花立１０４とが設けられている。墓石１０２の下方には、納骨室１０５（図８）が設けられている。
【０００３】
図８に示すように、上記納骨室１０５は、巻石１０１の内側に石やコンクリート１０６などで形成された矩形状の空間となっている。巻石１０１と納骨室１０５を形成するコンクリート１０６との間には、玉砂利、砕石、土１０７が入れられる。図９に示すように、納骨室１０５に納骨する場合、水鉢１０３を移動させて墓石１０２の前方を開放する。墓石１０２には、納骨室１０５に通じる空間が設けられており、墓石１０２の前方から下方の納骨室１０５に骨壺が納められる。そして、水鉢１０３を墓石１０２に接するように元の位置に戻して納骨室１０５の前部を塞ぐ（図の二点鎖線）。その後、水鉢１０３と墓石１０２との接合部分１０８が目地材でシールされる。
【０００４】
しかし、目地材は経年変化や地震などによって割れなどを生じる。そのため、目地材の部分から納骨室１０５に水Ｗが浸入する。これにより、納骨室１０５の内部は湿気の高い状態となってカビなど発生する。また、納骨室１０５の内部に雨水などが溜った状態になることもある。さらに、納骨室１０５の内部に虫などが入る場合もある。
【０００５】
この種の先行技術として、根太石の上面に設けられた骨壺納骨穴の周囲に上向きに突出した立上部を形成した墓石がある（例えば、特許文献１参照）。この墓石は、立上部によって、雨水が根太石の上面から納骨室に入らないようにしている。
【先行技術文献】
【特許文献】
【０００６】
【特許文献１】特開平７−４８９５８号公報
【考案の概要】
【考案が解決しようとする課題】
【０００７】
しかし、上記した特許文献１の場合、骨壺納骨穴を設けた根太石の上方に大きな空間を有する構造でなければ適用できない。そのため、比較的大きな設置面積の墓であれば適用できるが、図７に示すような小さな設置面積の墓１００では納骨室１０５の位置が限られて適用することは難しい。
【０００８】
そこで、本考案は、小さな設置面積の墓において、納骨室の内部に雨水などの水が浸入することを適切に防止できる防水構造を備えた墓を提供することを目的とする。
【課題を解決するための手段】
【０００９】
上記目的を達成するために、本考案に係る防水構造を備えた墓は、墓の外周を形成するように組み合わされる巻石と、前記巻石の上方を塞ぐ蓋石と、前記蓋石の上方に設けられる墓石と、前記墓石の前方に設けられる水鉢台と、を備え、前記巻石は、組み合わされる角部に縦方向に延びる係合段部を有し、該巻石の内部が納骨室に形成されており、前記蓋石は、組み合わされた前記巻石の外形と同じ大きさ以上の１枚板で形成され、該蓋石に前記納骨室に通じる納骨口が形成されており、前記納骨口は、前記水鉢台で上方が塞がれるように構成されている。
【００１０】
この構成により、墓の外周を形成する巻石の組み合わせ部は縦方向に延びる係合段部によって水の浸入を防ぐことができる。特に、組み合わせ部分を目地材でシールすれば、水の浸入をより適切に防止できる。巻石の内部に形成された納骨室は、上面が１枚の蓋石で塞がれており、蓋石の納骨口は水鉢台で塞がれている。よって、小さな設置面積の墓において、納骨室へ水が浸入することを適切に防止できる。
【００１１】
また、前記蓋石は、前記納骨口の周囲に上方へ突出する凸状部を有し、前記水鉢台は、前記納骨口と対向する面に前記凸状部と干渉しない凹状部を有していてもよい。このように構成すれば、水鉢台の周囲から蓋石上に水が流れ落ちても、納骨口の周囲に設けられた凸状部によって水が納骨室内に落ちることをより適切に防止できる。
【００１２】
また、前記巻石の内部に形成された前記納骨室は、底面が石張り部分と土部分とを有していてもよい。このように構成すれば、骨壺を納める場合には石張り部分に納めるようにでき、骨壺から骨を出して納める場合は土部分に納めることができる。よって、納骨室は、納骨方法に応じた利用ができる。
【考案の効果】
【００１３】
本考案によれば、小さな設置面積の墓において、納骨室の内部に雨水などが浸入することを適切に防止することが可能となる。
【図面の簡単な説明】
【００１４】
【図１】図１は、本考案の一実施形態に係る墓を示す斜視図である。
【図２】図２は、図１に示す墓の巻石部分を示す平面図である。
【図３】図３（Ａ）〜（Ｃ）は、図２に示す巻石で形成された納骨室の利用形態例を示す平面図である。
【図４】図４は、図１に示す墓の巻石と蓋石とを示す分解斜視図である。
【図５】図５（Ａ）は、図１に示す墓の平面図であり、（Ｂ）は（Ａ）に示すＶ−Ｖ拡大断面図である。
【図６】図６は、図１に示す墓に納骨する場合の斜視図である。
【図７】図７は、従来の墓の一例を示す斜視図である。
【図８】図８は、図７に示す墓の巻石部分を示す平面図である。
【図９】図９は、図７に示す墓に納骨する場合の側面図である。
【考案を実施するための形態】
【００１５】
以下、本考案の実施形態を図面に基づいて説明する。この明細書及び実用新案登録請求の範囲の書類中における前後左右方向の概念は、図１に示す墓１の正面に向かった状態における手前側を「前」、奥側を「後」とした前後左右方向の概念と一致するものとする。
【００１６】
図１に示すように、この実施形態に係る防水構造を備えた墓１は、平面視で矩形状に組み合わされる巻石１０によって墓１の設置面における外周が形成されている。巻石１０の下方は、コンクリートなどで基礎を形成してもよい。巻石１０の上部には、蓋石４０が設けられている。蓋石４０の上部には、墓石２０が設けられている。この実施形態の墓石２０は、中台２０ａと上台２０ｂと竿石２０ｃとで構成されている。墓石２０の正面側前方には、水鉢２１が備えられている。水鉢２１は、蓋石４０の上面に設けられた水鉢台２２の上部に配置されている。水鉢２１の左右位置には、花立２４が備えられている。
【００１７】
図２に示すように、巻石１０は、組み合わされる角部に縦方向に延びる係合段部１１を有している。この例の係合段部１１は、前部巻石１０ａと後部巻石１０ｂとに設けられている。係合段部１１は、左部巻石１０ｃと右部巻石１０ｄとの厚み分で形成されている。前部巻石１０ａと後部巻石１０ｂとに形成された係合段部１１に、左部巻石１０ｃと右部巻石１０ｄと組み合わせることで外面は面一となる。この実施形態では、以下に説明する納骨口４１の位置との関係で、前部巻石１０ａの内面の一部１０ｅが切除されている。係合段部１１の部分で組み合わされた巻石１０は、組み合わせ部分から水が浸入することを適切に防止することができる。巻石１０の組み合わせ部分は、目地材でシールしてもよい。巻石１０の組み合わせ部分を目地材でシールすることにより、水の浸入をより適切に防止できる。このように組み合わされた巻石１０の内部が、納骨室３０となる。すなわち、巻石１０に納骨室３０を形成する石を兼ねさせている。
【００１８】
図３（Ａ）〜（Ｃ）に示すように、巻石１０で形成された納骨室３０は、底面を石張り又は土とすることができる。図３（Ａ）に示す例は、底面の全てを土部分３１とした例である。例えば、骨壺から骨を出して土に還す納骨方法の場合に利用できる。図３（Ｂ）に示す例は、底面の一部を石張り部分３２とし、他の部分を土部分３１とした例である。例えば、骨壺５０で納骨して保管する場合は石張り部分３２に納めることができ、骨壺５０から骨を出して土に還す場合は土部分３１に納めることができる。よって、いずれの納骨方法の場合でも利用できる。図３（Ｃ）に示す例は、底面の全てを石張り部分３２とした例である。底面を全て石張り部分３２とする場合、結露などの水抜き穴３２ａを設ける。例えば、全ての納骨を骨壺５０で行って保管する納骨方法の場合に利用できる。このように、納骨室３０は、巻石１０で囲まれた内部の広い空間となるため、底面を納骨方法に応じた構成とすることが容易にできる。
【００１９】
図４に示すように、巻石１０の上面は蓋石４０によって塞がれる。蓋石４０は巻石１０の外形と同じか、巻石１０の外形よりも大きく形成された１枚板となっている。蓋石４０の外形は、例えば、巻石１０の周囲において１０ｍｍ程度大きくできる。蓋石４０の外形を巻石１０の外形よりも大きくすることで、蓋石４０の上面から流れ落ちる水を巻石１０の外方に落とすことができる。よって、蓋石４０から納骨室３０の方へ水が流れることをより抑止することができる。蓋石４０の前部には、納骨口４１が設けられている。納骨口４１は、巻石１０で形成された内部の納骨室３０に納骨する開口部である。この実施形態では、納骨口４１の周囲に、上方へ突出する凸状部４２が設けられている。凸状部４２は、高さを１０ｍｍ程度にすることができる。凸状部４２により、蓋石４０の上面を流れる水が納骨口４１から納骨室３０の内部に落ちないようにしている。
【００２０】
図５（Ａ）に示すように、巻石１０の上面に蓋石４０が設けられ、その上部に墓石２０と水鉢台２２と水鉢２１及び花立２４が設けられる。図５（Ｂ）の拡大断面図に示すように、水鉢台２２は、上記蓋石４０の納骨口４１の周囲に設けられた凸状部４２と干渉しないように、納骨口４１と対向する下面の一部に凹状部２３が設けられている。墓１は、小さな設置面積であるため、蓋石４０の上部に配置される墓石２０の大きさとの関係で、蓋石４０の前部に納骨口４１が設けられている。納骨口４１の下方に位置する前部巻石１０ａは、内面の一部１０ｅが切除されているため、納骨口４１の下方は納骨室３０の底面までほぼ同一の大きさの開口となっている。
【００２１】
図６に示すように、図１示す墓１に納骨する場合、水鉢２１及び花立２４が移動させられ、水鉢台２２が開放される。そして、蓋石４０の納骨口４１から納骨室３０に納骨される。このように、納骨するために納骨口４１を開放しても、納骨室３０の他の部分は１枚の蓋石４０で塞がれている。また、この実施形態では、納骨口４１の周囲に凸状部４２が設けられている。このため、納骨口４１を開放した状態でも、納骨室３０の内部に水Ｗが流れ落ちることを適切に防止できる。
【００２２】
しかも、巻石１０は係合段部１１で組み合わされているため、巻石１０の組み合わせ部分から水Ｗが浸入することも防止できる。よって、小さな設置面積の墓１において、地震や経年使用によっても納骨室３０に水Ｗが浸入することを長期間適切に防止することが可能となる。
【００２３】
なお、上記した蓋石４０は、一塊の石材を加工して１枚の蓋石４０を形成しても、複数の石材を接着して１枚の蓋石４０を形成してもよく、蓋石４０は１枚で形成されたものであれば限定されない。
【００２４】
また、上記した実施形態は一例を示しており、墓１を構成する石材は、中台２０ａと上台２０ｂと竿石２０ｃとを積み重ねた構成に限定されるものではない。
【００２５】
さらに、本考案の要旨を損なわない範囲での種々の構成を変更することは可能であり、本考案は上記した実施形態に限定されるものではない。
【符号の説明】
【００２６】
１  墓
１０  巻石
１１  係合段部
２０  墓石
２１  水鉢
２２  水鉢台
２３  凹状部
３０  納骨室
３１  土部分
３２  石張り部分
４０  蓋石
４１  納骨口
４２  凸状部
５０  骨壺
Ｗ  水
【図１】
0003215973.tif 000003
【図２】
0003215973.tif 000004
【図３】
0003215973.tif 000005
【図４】
0003215973.tif 000006
【図５】
0003215973.tif 000007
【図６】
0003215973.tif 000008
【図７】
0003215973.tif 000009
【図８】
0003215973.tif 000010
【図９】
0003215973.tif 000011